(57)【要約】磁歪アクチュエータは、巨大磁歪物質のロッド（２）と、そのアクチュエータの両端部に配置され、かつロッドを通して磁場を通過するようにアクチュエータと同軸で配置されるバイアス印加する永久磁石（４）と、および交番磁場をロッドを通過する磁場上に重畳して、それに応答してロッドの長さに変化を生じさせるように、付勢手段へ接続される付勢電磁コイル（６）とから構成され、そこにおいて、永久磁石（４）は、それぞれがロッドのものよりもかなり大きい断面積を有する、円板の形態であり、およびロッド内の磁場がロッドの長さ方向に沿ってほぼ直線状であるように、低い磁気透磁率の物質（３）によりロッドの両端部から離間される。【選択図】図１
2004527168.tif 000002
【特許請求の範囲】
【請求項１】
磁歪アクチュエータであって、巨大磁歪物質のロッドと、そのアクチュエータの両端部に配置され、かつロッドを通して磁場を通過するようにアクチュエータと[同軸で]配置されるバイアス印加する永久磁石と、および交番磁場をロッドを通過する磁場上に重畳して、それに応答してロッドの長さに変化を生じさせるように、付勢手段へ接続される付勢電磁コイルとから構成される磁歪アクチュエータにおいて、永久磁石は、それぞれがロッドのものよりもかなり大きい断面積を有する、円板の形態であり、およびロッド内の磁場がロッドの長さ方向に沿ってほぼ直線状であるように、低い磁気透磁率の物質によりロッドの両端部から離間される磁歪アクチュエータ。
【請求項２】
請求項１に係るアクチュエータにおいて、ロッドは、端部間に位置決めされる２部分以上のＧＭＭから構成されるアクチュエータ。
【請求項３】
請求項１または２に係るアクチュエータにおいて、永久磁石間の軸方向間隔は、その磁石の径に等しいアクチュエータ。
【請求項４】
請求項１、２または３に係るアクチュエータにおいて、アクチュエータの本体は、非磁性物質から形成されるアクチュエータ。
【請求項５】
請求項１から４のいずれか一項に係るアクチュエータにおいて、磁石は、ロッドの平均径の少なくとも３倍の径を有するアクチュエータ。
【請求項６】
請求項５に係るアクチュエータにおいて、磁石は、ロッドの平均径の少なくとも４倍の径を有するアクチュエータ。
【請求項７】
請求項１から６のいずれか一項に係るアクチュエータにおいて、磁石は、ネオジム−鉄−硼素から成る高エネルギー型のものであるアクチュエータ。
【請求項８】
請求項１から７のいずれか一項に係るアクチュエータにおいて、磁石の厚さは、磁石の径よりもかなり小さいアクチュエータ。
【請求項９】
請求項１から８のいずれか一項に係るアクチュエータにおいて、磁石は、それぞれの磁石の厚さに少なくとも等しい間隔だけロッドの両端部から離間されるアクチュエータ。
【請求項１０】
請求項１から９のいずれか一項に係るアクチュエータにおいて、ロッドの長さは１２ｍｍ以下であるアクチュエータ。
【請求項１１】
請求項１から１０のいずれか一項に係るアクチュエータにおいて、ロッドの幅は４ｍｍ以下である、アクチュエータ。
【請求項１２】
請求項１から１１のいずれか一項に係るアクチュエータが音波を中に結合できる表面上に位置決めされるようになっており、その磁歪アクチュエータから構成される音声装置であって、
その質量の大部分がアクチュエータにより支承される音声装置。
【請求項１３】
パネルが可聴音を放射するように音波をパネル中に生じさせる内蔵装置であって、出力源を備えるケーシングと、音声周波信号入力部と、および出力源と信号入力部とに接続される増幅器とから構成される内蔵装置であり、かつ装置がパネルと接触すると、パネルと音響的に結合するようになっている音声周波アクチュエータへ出力信号を送り、それによりパネルから増幅された音声出力を生成する内蔵装置。
【請求項１４】
パネルが可聴音を放射するように音波をパネル中に生じさせる内蔵装置であって、出力源を備えるケーシングと、音声周波信号発生手段と、および出力源と信号発生手段とに接続される増幅器とから構成される内蔵装置であり、かつ装置がパネルと接触すると、パネルと音響的に結合するようになっている音声周波アクチュエータへ出力信号を送り、それによりパネルから増幅された音声出力を生成する内蔵装置。
【請求項１５】
請求項１３または１４に係る装置において、音声周波アクチュエータは、磁歪エレンメントと、そのエレンメントに関連する電磁コイルとから構成される磁歪アクチュエータであり、そのコイルは、出力信号が、そのエレンメントに出力された力を送出させ、その出力された力が前記信号により変調されるように、増幅器へ接続され、および装置がパネルと接触すると、パネルへ出力された力を伝達する手段が設けられる装置。
【請求項１６】
請求項１４または１５に係る装置において、信号発生手段は、記録された音声周波信号を再生するプレ−ヤ装置である装置。
【請求項１７】
請求項１６に係る装置において、プレ−ヤ装置は、記録テーププレーヤ、ＣＤプレーヤ、ＤＶＤプレーヤまたは半導体メモリ装置である装置。
【請求項１８】
請求項１４または１５に係る装置において、信号発生手段は無線受信器である装置。
【請求項１９】
請求項１８に係る装置において、無線受信器は放送無線受信器である装置。
【請求項２０】
請求項１８に係る装置において、無線受信器は、例えば、自局信号源からのワイヤレス接続を形成する、局所的に放射される無線信号用の受信器である装置。
【請求項２１】
請求項１３から２０のいずれか一項に係る装置において、
アクチュエータは、請求項１から１１のいずれか一項に係るアクチュエータである装置。
【請求項２２】
音声通信装置であって、マイクロフォンと、およびパネルが可聴音を放射するように、その装置がパネルと接触すると、音波をパネル中に生じさせるようになっている音声周波アクチュエータへ接続される音声出力回路とを有する音声通信装置。
【請求項２３】
請求項２２に係る音声通信装置において、音声周波アクチュエータは磁歪アクチュエータである音声通信装置。
【請求項２４】
請求項２３または２４に係る音声通信装置であって、アクチュエータが表面と接触したままにされるように表面へその装置を固定し、それにより、表面との音響的結合を強化する手段を備える音声通信装置。
【請求項２５】
請求項２２、２３または２４に係る音声通信装置であって、マイクロフォンと音声出力回路とに接続される無線送信器／受信器を備える音声通信装置。
【請求項２６】
携帯無線電話である請求項２５に係る音声通信装置。
【請求項２７】
請求項２２から２６のいずれか一項に係る音声通信装置において、音声周波アクチュエータは、その装置が使用者の耳に隣接されると聴くことができる低レベル音声出力を生成するように、その装置内に配置される音声通信装置。
【請求項２８】
請求項２２、２３または２４に係る音声通信装置であって、既存の電話への接続用の手段から構成される音声通信装置。
【請求項２９】
請求項２８に係る音声通信装置において、接続手段はコードから構成される音声通信装置。
【請求項３０】
請求項２９に係る音声通信装置において、接続手段は、電話送受器本体のソケットに直接係合するプラグから構成される（または逆も同じ）音声通信装置。
【請求項３１】
請求項３０に係る音声通信装置であって、ワイヤレス電話送受器へ接続しながらワイヤレス電話送受器を受容しかつ支承する連結局として機能して、電話と連結局の組合せに、手を使う必要のない通話装置または会議通話装置として機能させる音声通信装置。
【請求項３２】
請求項２２から３１のいずれか一項に係る音声通信装置であって、その装置の質量の大部分がアクチュエータにより担持されるように配置され、したがってアクチュエータ用の応答質量として機能する音声通信装置。
【請求項３３】
請求項２２から３２のいずれか一項に係る音声通信装置において、
アクチュエータは、請求項１から１１のいずれか一項に係るアクチュエータである音声通信装置。
【請求項３４】
フラットパネルスピーカおよびその上に取付けられるマイクロフォンから構成される音声通信装置。
【請求項３５】
中空ケーシングの前面部として取付けられる鏡から構成される自動車用後写鏡において、そのケーシングは、そのケーシング内の音声変換器へ接続される音声入力手段を有する後写鏡ユニット。
【請求項３６】
請求項３５に係る後写鏡ユニットにおいて、変換器は、その鏡の後面と接触する磁歪アクチュエータであり、また鏡と音響的に結合するように配置され、それにより鏡から音を出力する後写鏡ユニット。
【請求項３７】
請求項３５または３６に係る後写鏡ユニットにおいて、音声入力手段は、増幅器を経てアクチュエータへ接続される後写鏡ユニット。
【請求項３８】
請求項３７に係る後写鏡ユニットであって、ケーシング上またはケーシング内に取付けられ、かつ音声入力手段とアクチュエータとの間に電気的に接続される音量調節器から構成される後写鏡ユニット。
【請求項３９】
請求項３５から３８のいずれか一項に係る後写鏡ユニットにおいて、音声入力手段は接続ソケットである後写鏡ユニット。
【請求項４０】
請求項３５から３８のいずれか一項に係る後写鏡ユニットにおいて、音声入力手段は無線受信器から構成される後写鏡ユニット。
【請求項４１】
請求項３５から３８のいずれか一項に係る後写鏡ユニットにおいて、音声入力手段は赤外線受信器から構成される後写鏡ユニット。
【請求項４２】
請求項３５から４１のいずれか一項に係る従う後写鏡ユニットにおいて、
音声変換器は、請求項１から１０のいずれか一項に係るアクチュエータである後写鏡ユニット。
【請求項４３】
請求項３５から４２のいずれか一項に係る後写鏡ユニットであって、音声出力手段へ接続されるマイクロフォンも備える後写鏡ユニット。
【請求項４４】
請求項４３に係る後写鏡ユニットにおいて、音声出力手段は接続ソケットである後写鏡ユニット。
【請求項４５】
請求項４３に係る後写鏡ユニットにおいて、音声出力手段は無線送信器から構成される後写鏡ユニット。
【請求項４６】
請求項４３に係る後写鏡ユニットにおいて、音声出力手段は赤外線受信器から構成される後写鏡ユニット。
【請求項４７】
請求項３５から４６のいずれか一項に係る後写鏡ユニットにおいて、ケーシングは、ケーシング上のタッチ作動装置へ接続される電子制御手段を内蔵し、それにより、使用者は、タッチ作動装置にタッチして、その装置の作動を制御可能である後写鏡ユニット。
【請求項４８】
請求項４７に係る後写鏡ユニットにおいて、タッチ作動装置は押ボタンスイッチである後写鏡ユニット。
【請求項４９】
請求項３５から４８のいずれか一項に係る後写鏡ユニットであって、ケーシング内の電気構成部材へ電力を供給する[１つの]充電式電池と、および電池へ再充電するために電力を生成する、ケーシング上に取付けられる少なくとも１つの太陽電池とから構成される後写鏡ユニット。
【請求項５０】
請求項３５から４９のいずれか一項に係る後写鏡ユニットにおいて、ケーシングには、音声入力手段へワイヤを経て接続される着脱自在の受話口が設けられ、そのワイヤは、必要でないときにワイヤを巻戻すために巻戻機構により担持され、巻戻機構は、ワイヤが延ばされるときに音声入力手段から音声変換器を外すために付属の切換手段を有する後写鏡ユニット。
【請求項５１】
請求項５０に係る後写鏡ユニットであって、音声出力手段へワイヤを経て接続される着脱自在のマイクロフォンから構成され、そのワイヤは、必要でないときにワイヤを巻戻すために巻戻機構により担持される後写鏡ユニット。
【請求項５２】
パネルへ音響的に結合される音声周波アクチュエータ、および音声周波変調駆動信号をそのアクチュエータへ送る手段を有する少なくとも１つのパネルを備える乗員室を有する自動車。
【請求項５３】
請求項５２に係る自動車において、そのパネルは、ウインドスクリーンまたはウインドシールド用の移動自在の日除けである自動車。
【請求項５４】
請求項５２に係る自動車において、そのパネルは、ダッシュボードの計器盤に重なる透明スクリーンである自動車。
【請求項５５】
請求項５２、５３または５４に係る自動車において、音声周波アクチュエータは磁歪アクチュエータである自動車。
【請求項５６】
請求項５５に係る自動車において、
磁歪アクチュエータは、請求項１から１１のいずれか一項に係るアクチュエータである自動車。
【請求項５７】
音声信号を少なくとも１つの遠隔ユニットへ送信する基地局から構成される通信システムにおいて、その遠隔ユニットまたはそれぞれの遠隔ユニットは、基地局から遠隔のパネルへ装着自在であり、かつそのパネルへ音響的に結合するように配置されたアクチュエータを含み、それにより、音声信号をパネルの領域内で可聴にさせる通信システム。
【請求項５８】
請求項５７に係る通信システムであって、複数の前記遠隔ユニットから構成され、また基地局は、音声信号を、前記遠隔ユニット、前記基地局のグループ、および全ての基地ユニットのいずれかへ選択的に送信可能な通信システム。
【請求項５９】
請求項５７または５８に係る通信システムにおいて、基地局はマイクロフォンを備える通信システム。
【請求項６０】
請求項５７、５８または５９に係る通信システムにおいて、遠隔ユニットは、ワイヤにより基地局へ接続される通信システム。
【請求項６１】
請求項５７、５８または５９に係る通信システムにおいて、基地局は、音声信号を担持する自局信号を放送する手段を備え、その遠隔ユニットまたはそれぞれの遠隔ユニットは、放送信号を受信する無線受信器を有する通信システム。
【請求項６２】
請求項６１に係る通信システムにおいて、パネルは、それへ装着される遠隔ユニットを有するクリップボードのような可搬型パネルである通信システム。
【請求項６３】
請求項５７から６２のいずれか一項に係る通信システムにおいて、
そのアクチュエータは、請求項１から１１のいずれか一項に係るアクチュエータである通信システム。
【請求項６４】
表示装置であって、上に、または隣接して情報が表示される表面部と、前記表面部中に音波を生じて表面部に可聴音を放射させる、前記表面部へ音響的に結合された音声周波アクチュエータと、および記録された音声信号を再生する、前記アクチュエータへ接続される記憶と再生の手段とから構成される表示装置。
【請求項６５】
請求項６４に係る表示装置であって、表面部近くの人の存在を検出し、かつ記憶と再生の手段を作動させて、前記検出に応答してアクチュエータへ音声信号を送るセンサ手段を備える表示装置。
【請求項６６】
請求項６４または６５に係る表示装置において、音声周波アクチュエータは磁歪アクチュエータである表示装置。
【請求項６７】
請求項６６に係る表示装置において、
磁歪アクチュエータは、請求項１から１１のいずれか一項に係るアクチュエータである表示装置。
【請求項６８】
請求項６４から６７のいずれか一項に係る表示装置において、表面部は透明窓を備え、その窓の背後に、情報が上に表示される第２の表面部が設けられる表示装置。
【請求項６９】
請求項６８に係る表示装置において、第２の表面部は、情報が上に投影されるスクリーンである表示装置。
【請求項７０】
ヘルメットまたは保護帽子であって、それに音響的に結合される音声周波アクチュエータと、および音声周波駆動信号をそのアクチュエータへ送る手段とから構成されるヘルメットまたは保護帽子。
【請求項７１】
請求項７０に係るヘルメットまたは保護帽子において、音声周波アクチュエータは磁歪アクチュエータであるヘルメットまたは保護帽子。
【請求項７２】
音声周波駆動信号をそのアクチュエータへ送る手段へ接続される音声周波アクチュエータを担持するヘッドバンドを備える帽子において、そのアクチュエータは、音響エネルギーを着用者の頭骨へ直接結合するために、使用中に着用者の頭と係合するように位置決めされる帽子。
【請求項７３】
請求項７０、７１または７２に係るヘルメットまたは帽子において、
磁歪アクチュエータは、請求項１から１１のいずれか一項に係るアクチュエータであるヘルメットまたは帽子。
【請求項７４】
請求項７０から７３のいずれかに係るヘルメットまたは帽子において、音声周波信号を送る手段は無線受信器を備えるヘルメットまたは帽子。
【発明の詳細な説明】
【技術分野】
【０００１】
本発明は、音声周波使用に特に適した磁歪アクチュエータと、ならびにそのようなアクチュエータを採用できる音声出力装置および音声通信装置とに関する。
【背景技術】
【０００２】
音声信号をパネル中に送信できる音声周波アクチュエータをパネルへ装着することにより、パネルをスピーカとして機能するように製作できることが知られている。
【０００３】
Ｗ０９２／０３０２４は、そのようなパネルを開示している。Ｗ０９８／５２２８９は、無線テーププレーヤなどの出力を放射する手段、例えば、圧電変換器が好ましいが、そのような作動について可能な場合は磁歪変換器、電磁変換器、静電変換器およびマイクロモータ変換器のような手段として、自動車における標準トリムパネルの使用を示唆している。
【０００４】
そのようなパネルは、満足できるスピーカとして作動するように製作できるが、種々の理由で、パネルへのアクチュエータの取付けと、およびパネルを駆動する主電源出力または車両交流発電機出力の入手性とに、全て左右される。圧電装置は、適切なレベルの音声出力を生成するために、高い電圧および比較的大きい電流を必要とし、一方、電磁装置は、低電圧で作動するが、パネルから可聴出力を生成するために十分な電力を生じるには非常に大きい電流を必要とする。磁歪装置は、比較的低い電圧においてかなりの出力を発生できるが、２つの理由で可搬型家庭用途では従来は非実用的であった。第１に、巨大磁歪物質（ＧＭＭ）の長さを変化させるために必要な磁場を発生する電流消費量が比較的多く、および第２に、ＧＭＭのコストが非常に高いことである。
【０００５】
従来の磁歪アクチュエータを単に縮小しても、満足する音声出力を生成しないし、高レベルのゆがみ、または非常に低い音量を生じることが判明している。
【発明の開示】
【０００６】
本発明は、１つの態様において、巨大磁歪物質のロッドと、そのアクチュエータの両端部に配置され、かつロッドを通して磁場を通過するようにアクチュエータと同軸で配置されるバイアス印加する永久磁石と、および交番磁場をロッドを通過する磁場上に重畳して、それに応答してロッドの長さに変化を生じさせるように、付勢手段へ接続される付勢電磁コイルとから構成される磁歪アクチュエータにおいて、永久磁石は、それぞれがロッドのものよりもかなり大きい断面積を有する、円板の形態であり、およびロッド内の磁場がロッドの長さ方向に沿ってほぼ直線状であるように、低い磁気透磁率の物質によりロッドの両端部から離間される、磁歪アクチュエータを提供する。
【０００７】
ロッドは、端部間に位置決めされる２部分以上のＧＭＭから構成できる。一定のロッドの場合、２つの永久磁石間の軸方向間隔は、その磁石の径にほぼ等しいか、またはそれ未満であることが判明している。
【０００８】
アクチュエータの本体は、非磁性物質、例えば、従来の磁歪アクチュエータにおけるように鋼ではなく亜鉛合金から形成される。かくして、磁気帰路が設けられず、およびこれは、ＧＭＭを通る磁場の直線性を向上するのに役立つことも判明している。
【０００９】
磁石は好ましくは、ロッドの平均径の少なくとも３倍、より好ましくは少なくとも４倍の径を有する。磁石の厚さは好ましくは、磁石の径よりもかなり小さい。ロッドの端部からのそれぞれの磁石の間隔は好ましくは、磁石の厚さに少なくとも等しい間隔である。
【００１０】
その目的は、ＧＭＭは少しも磁気的に飽和されないこと、およびロッドを通る磁場は、その物[質]の縦軸にできるだけ殆ど平行であることを確実にすることにある。
【００１１】
磁石は好適には、ネオジム−鉄−硼素から成る高エネルギー型のものである。他の型式の磁石も使用できるであろうが、磁場強さは低いであろう。したがって、ＧＭＭロッドの長さ方向を通して直線状磁場である可能性は少ない。ＧＭＭロッドは好ましくは、[１５]ｍｍ未満、より好ましくは[１２ｍｍ]未満でり、またその幅は好ましくは、４ｍｍ以下である。典型的にはロッドは、正方形断面、例えば４ｍｍｘ４ｍｍである。
【００１２】
大径の磁石の使用によりＧＭＭロッドの長さ方向を通してほぼ直線状の磁場が形成され、かくして磁場がＧＭ物質の予想される最大量に影響することが確実にされるので、加えられる付勢磁場に対するアクチュエータの応答を最大にすることが判明している。非磁性スペーサにより、必要とされるＧＭＭの量は、ＧＭＭロッドの両端部における磁気飽和を避けることにより確実に最小にされる。
【００１３】
「円板」の言及は、磁石が平面において円形でなければならないことを意味しようとするものではないが、正方形を含む他の形状も等しく有効であることが分る。
【００１４】
本発明は、アクチュエータが音波を中に結合できる表面上に位置決めされるようになっている、本発明による磁歪アクチュエータから構成される音声装置をさらに提供し、その音声装置は、その質量の大部分がアクチュエータにより支承される。
【００１５】
本発明の他の態様は、パネルが可聴音を放射するように音波をパネル中に生じさせる内蔵装置を提供し、その装置は、出力源を備えるケーシングと、音声周波信号入力部と、および出力源と信号入力部とに接続される増幅器とから構成され、かつ装置がパネルと接触すると、パネルと音響的に結合するようになっている音声周波アクチュエータへ出力信号を送り、それによりパネルから増幅された音声出力を生成する。
【００１６】
本発明のさらに他の態様は、パネルが可聴音を放射するように音波をパネル中に生じさせる内蔵装置を提供し、その装置は、出力源を備えるケーシングと、音声周波信号発生手段と、および出力源と信号発生手段とに接続される増幅器とから構成され、かつ装置がパネルと接触すると、パネルと音響的に結合するようになっている音声周波アクチュエータへ出力信号を送り、それによりパネルから増幅された音声出力を生成する。
【００１７】
音声周波アクチュエータは好適には、磁歪エレンメントと、そのエレンメントに関連する電磁コイルとから構成される磁歪アクチュエータであり、そのコイルは、出力信号が、そのエレンメントに出力された力を送出させ、その出力された力が前記信号により変調されるように、増幅器へ接続され、および装置がパネルと接触すると、パネルへ出力された力を伝達する手段が設けられる。
【００１８】
より好ましくはアクチュエータは、上に明示された型式のものである。
【００１９】
信号発生手段は、記録された音声周波信号を再生するプレ−ヤ装置、例えば、記録テーププレ−ヤ、ＣＤプレ−ヤ、ＤＶＤプレ−ヤまたは半導体メモリ装置である。代わりに、信号発生手段は、無線受信器、例えば、放送無線受信器でもよいし、または例えば自局信号源からのワイヤレス接続を提供する、局所的に放射される無線信号用の受信器でもよい。
【００２０】
本発明の他の態様は、マイクロフォンと、およびパネルが可聴音を放射するように、装置がパネルと接触すると、音波をパネル中に生じさせるようになっている音声周波アクチュエータへ接続される音声出力回路とを有する音声通信装置を提供する。
【００２１】
本発明の通信装置は好ましくは、マイクロフォンと音声出力回路とに接続される無線送信器／受信器を備え、また例えば、公衆切換電話網（ＰＳＴＮ）へ結線される基地局へ無線（デジタルまたはアナログ）により連結される型式のコードレス電話送受話器でもよい。
【００２２】
この一般型のコードレス電話は、家庭および事務所において普通に使用される。代わりに、その電話は、独立した無線電話、例えば携帯無線電話でもよい。そのような電話、特に携帯電話の使用について、および使用者の脳に対するその予想される影響についての幾つかの懸念がある。というのは、内部スピーカの出力を聴くために使用者の頭近くに、たとえ弱い放射でもマイクロ波の源を保持する必要があるからである。種々の「手を使う必要のない」解決策が提案されているが、大部分の解決策は、電話と受話器との間に何らかの電気的連結を必要とし、これは、その連結により使用者の頭へ向けて放射するアンテナとして機能するものと考えられる。
【００２３】
本発明の通信装置が電話送受話器である場合、その装置は、１つのモードにおいて、その装置を使用者の耳に単に近接させることにより従来使用されるように配置できるか、もしくは、別のモードにおいて、例えば別個の取付けブラケットにより、我々の未決出願[ＧＢ０１１６３０３]に開示される吸引装着装置の手段により、両面接着テープにより、または一時的接着剤を使用して、テーブルや同様なパネルのような水平面上に単に置くことにより、または窓のような直立表面上に一時的に装着することにより拡声電話として使用されるように配置できる。
【００２４】
その装置は、パネルとの満足される音響的結合が生じるように表面と密接して保持される必要があり、また受話器の本体は、受話器が例えば水平表面に単に置かれるときに密接が確実に生じるように設計される。この特性の別の利点は、例えば同室にいる数人が同時に同じ電話通話に参加できる「会議通話」を、専用の別の装置を必要とすることなく実施できることである。アクチュエータは、受話器の本体中に音波を今までどおり誘導するので、受話器を、秘密が必須であり、かつ状況により、「実現的な」使用が許される場合、今までどおり従来の方法で使用してもよい。
【００２５】
別の利点は、この装置のこの特性から生じる。送受器の本体は、送受器を耳の近くに保持したときに出力を聴くことができるに足る振幅の音波を放射するので、耳に関する送受器の精確な位置決めが不必要になる。というのは、従来の送受器はスピーカに隣接して本体に穴を有し、この穴の耳との心合わせが、適切な音量を得るために必要であるからであり、この位置は、使用者の快適性にとり不都合なことがある。別の利点は、ケーシングを通る穴がもはや必要でないので、ケーシングを防水、または少なくとも耐水に一層容易にすることができる点である。これは、不利な環境で使用される通信装置、例えば軍務または非常用業務により使用される通信装置に適用されるときに利点を有する。
【００２６】
別の利点は、音を放射する表面へマイクロフォンが近接しているにもかかわらずフィードバックの欠如は、フィードバックの問題を避けるためにソフトウェアベースであるかまたはハードウェアベースであるかにかかわらず専用の制御器を採用する必要がないのを意味し、かつマイクロフォンとスピーカの分離間隔はもはや重要でないので、送受器を小さくできることである。
【００２７】
本発明の一実施例に従う送受器を３つの主な仕方で使用できることが分る。すなわち、自発的に、手持ち装置またはタッチを通して通信できる装置として、または送受器を表面上に単に載せるだけで使用できる仕方、短期的に、例えば吸引装着物を使用して送受器を表面へ一時的に装着することにより、または両面接着剤や一時接着剤を使用することにより使用できる仕方、もしくは永久的に、例えば、どのような用途でも手を使う必要がなく、かつ手持ちされないことが望ましく、したがって慣例に反している自動車用途の場合、持久性接着剤で送受器を表面へ装着することにより使用できる仕方である。雇用者が、被雇用者に慣例を確実に順守させる義務を有し、かつ順守されなかった場合に規則で認められた責務を有する、永久的に送受器を使用する後者の場合は有用であろう。
【００２８】
本発明の他の実施例において、その装置には、二部分装着手段が設けられ、その手段は、音が放射される表面、例えば机上や窓へ永久的に装着される第１の部分、およびアクチュエータへ装着される第２の部分を有し、それらの２つの部分は、例えば緊締手段またはバネ連結手段により一時的に互いに接続自在である。
【００２９】
他の実施例において、その装置は、既存の電話へ接続する手段、例えば、電話送受器本体内のソケットと直接係合するコードまたはプラグコネクタ（または逆も同じ）を備える。後者の場合、本発明の装置は、「連結局」として機能できるか、または上述の方法のいずれかを使用して永久的または一時的に結合するように配置してもよい。音響的結合を強めるために装置は、その質量の大部分がアクチュエータにより担持されるように、したがって応答質量として機能するように設計できる。例えばアクチュエータには、ＧＭＭエレンメントへ直接結合され、かつ表面における装置用の唯一のサポートとして機能する「脚部」を設けることができる。かくして応答質量は、アクチュエータにより強固に支承される装置内の全ての[エレ]メントを含むことになる（電池のようなバネ取付けエレメントは、表面中への音波の結合の強化には貢献しないであろう）。
【００３０】
磁歪アクチュエータは、磁歪物質のバーと、そのバーを囲む電磁コイルと、バーへ直接向けられる南極を有する、バーの一端部に位置する第１の永久磁石と、バーへ直接向けられる北極を有する、バーの他端部に位置する第２の永久磁石と、磁石それぞれとバーとの間に位置する非圧縮性スペーサ手段であって、低磁気透磁率の物質のものである非圧縮性スペーサ手段と、および第1の磁石の外側へ向けられる極から第２の磁石の外側へ向けられる極へ延びる磁気回路手段と、から構成できる。
【００３１】
音響的結合は、アクチュエータにおける構成部材のそれぞれの隣接する対間、例えばＧＭＭバーとスペーサとの間、およびスペーサと磁石との間に薄層のグリースを形成することにより向上できる。
【００３２】
この構成により、非常に小さいサイズを有し、かつ例えば７５ｇ未満の重量を有する、小量の、したがって安価な磁歪物質を使用する有効な磁歪アクチュエータを製作できる。例えば、長さは、１２ｍｍ未満が好適であり、好ましくは１０ｍｍ未満で、４ｍｍ未満の厚さを有するものである。音声装置において、そのようなアクチュエータは、それにもかかわらず、例えば標準的な事務所または家庭環境において数人により聴くことができるように十分な音声出力を生成できる。
【００３３】
本発明の別の態様によれば、自動車用後写鏡ユニットは、中空ケーシングの前面部として取付けられる鏡から構成され、そのケーシングは、そのケーシング内の音声変換器へ接続される音声入力手段を有する。
【００３４】
音声変換器は、従来のスピーカ、例えば可動コイル型の装置でもよいが、好ましくは鏡の後面に接触する磁歪アクチュエータであり、かつ鏡と音響的に結合するように配置され、それによりそのアクチュエータから音を出力する。
【００３５】
好ましくは増幅器を経てアクチュエータへ接続される音声入力手段は、例えば適切なリード線とプラグを経て携帯電話へ接続できる接続ソケットを備えてもよく、自動車において手を使う必要のない操作を可能にし、その鏡ユニットはスピーカとして機能する。鏡ユニットはマイクロフォンも備えることができる。
【００３６】
代わりに鏡ユニットは、例えば、短範囲の無線リンクを経て携帯電話などへ接続できる型式のものを備えることができ、その一例は、商標[ＢＬＵＥＴＯＯＴＨ]で知られるものであろう。
【００３７】
携帯電話へ接続する他の方法は、赤外線リンクによる方法、例えば周辺装置をコンピュータへ接続するのに使用される型式のものによる方法であろう。
【００３８】
ケーシングには、携帯電話のような外部装置へのワイヤ付き接続部用、またはワイヤレス接続部用の接続ソケットのような音声出力手段へ接続されるマイクロフォンを設けることができる。そのマイクロフォンは、例えばユニットの音声作動ができるように、ケーシング内の電子制御回路へも接続できる。
【００３９】
ケーシング内の電子制御回路を、ケーシング上のタッチ作動装置へ二者択一的に、または付加的に接続でき、それにより、使用者は、タッチ作動装置をタッチすることにより装置の作動を制御できる。タッチ作動装置は、単なる押ボタンスイッチ、または誘導センサや容量性センサのような非可動スイッチでよい。
【００４０】
タッチ作動装置またはスイッチは、右ハンドル車の場合において、呼出を肯定または開始するために押されるように、ケーシングの左手側または中央下部中心へ向けて位置決めされる単一の押ボタンスとして好適には構成され、携帯電話と連係して使用されるとき、または受信モードで押されるときに、音声プロントとして音声ダイヤルへのアクセスが生じるであろう。呼出を受信するために、入力される呼出を指示する手段をケーシング上に設けることができ、ついで使用者は、ケーシング上のボタンを押して通話を開始することになる。この通話の取消しは、同一のボタンを押すことにより達成される。通話を開始するには、受信者の名前へ装着される音声タグを使用する信号音を開くためにボタンを一回押すように構成できる。このタッチ作動装置は、電話に受信者へダイヤルさせるために音声タグを真似るように構成できる。
【００４１】
雑音抑圧回路またはソフトウエアを、その装置に組込むことができる。
【００４２】
鏡ユニットには、使用者の耳に音声を直接提供する受話口を設けることができ、受話口はワイヤを経て音声入力手段へ接続され、その手段には巻戻機構が設けられるので、受話口をケーシングから引出し、私的聴取りができるように耳中に挿入でき、ついで、もはや必要ないときに、巻戻機構の作用で再び引込めることができる。受話口の伸張部は、音声入力を音声アクチュエータから自動的に切るように構成できる。同様に、ケーシングから引出しできるマイクロフォンを、設けて低レベルで会話ができるように、例えば、使用者の衣類へクリップ留めできる。
【００４３】
自動車の乗員室内の他のパネルは、乗員室内で音声を可聴できるように再生する音響器を設けるために、アクチュエータと組合せできる。例えば、フロントウインドスクリーンまたはウインドシールド用の日除けを使用でき、またはダッシュボードの計器盤に重なる透明スクリーンを使用できる。
【００４４】
本発明のさらに別の態様は、マイクロフォンとそのマイクロフォンの音声出力を担持する自局信号を放送する手段とを備える基地局、および複数の遠隔ユニットから構成される通信システムを提供し、それぞれの遠隔ユニットは、基地局から遠隔のパネルへ装着され、および放送信号を選択的に受信し、かつパネルと音響的に結合するように配置されるアクチュエータへ音声信号を出力する無線受信器を有し、それにより、パネルの領域内で音声信号を可聴させる。
【００４５】
これにより、非常に柔軟性があり、かつ非介入的公衆アドレスシステムが提供され、そのシステムにおいて、窓、ドア、壁や天井、机または他の取付け具のような局部的表面を、音声信号を放射するように製作できる。他の用途は、必要とされる所へ音を向けるばかりではなく、必要とされない所へも向ける傾向がある高音量スピーカを必要とすることなく、公共行事において告示を通達することであろう。
【００４６】
無線受信器は、例えばパケット無線分配手法により個別にアドレス指定可能であり、メッセージを個別の場所へ送ることができる。このために予想される用途は、個別に選択された音楽をレストランにおける種々のテーブルへ送ることであろうし、そこにおいて、テーブル面上のアクチュエータを使用することにより、選択された音楽をテーブルにおける者により受入できる音量で聴かれるが、隣接するテーブルにおいて着座している者に介入しないことが保証される。他の予想される例は、博物館などであろう。そこにおいて、告知が個人またはグループへ通知されながら、見学者、例えばノートをとる学童により担持されるクリップボードにアクチュエータを付属できるであろう。
【００４７】
本発明のさらに他の態様は、上にまたは背後に情報が表示される表面部と、上述の表面部中に音波を生じて表面部に可聴音を放射させる、表面部へ音響的に結合された音声周波アクチュエータと、および記録された音声信号を再生する、前記アクチュエータへ接続される記憶と再生の手段とから構成される表示装置を提供する。
【００４８】
かくして例えば、公衆広告表示装置を、表示表面上に視覚的に表示されるメッセージを補いかつ強化するために可聴メッセージを伝えるように構成でき、その装置は、例えば、ポスターのような静止物、またはビデオ表示装置のような動的表示物でよい。この表示装置は、装置に近接する人の存在に応答し、近接物を構成するものが、例えば、表示されかつ可聴にされている情報の位置と種類により求められる。その表示装置は、自立ボード型式の表示装置、またはガラスの背後、例えばショーウインドウの背後の表示装置でよいし、音声周波アクチュエータが結合される表面部として機能する。
【００４９】
表面部近くの人の存在を検出し、上述の検出に応答し、記憶と再生の手段を作動して音声信号をアクチュエータへ送るセンサ手段を設けることができる。代わりに表示装置には、目視者が操作できるスイッチを設けてもよいし、またはその装置はループで単に作動するように構成してもよい。
【００５０】
本発明のさらに他の態様において、ヘルメットまたは硬質の帽子には、それと音響的に結合される音声周波アクチュエータが設けられ、かつ音声周波駆動信号をそのアクチュエータへ送る手段が設けられる。
【００５１】
音声周波信号を送る手段は、別個の無線通信装置へのリンクでもよいし、またはヘルメットに組込まれる無線通信装置を備えてもよい。
【００５２】
そのようなヘルメットは、消防士にとり有用であり、悪条件においてメッセージを明確に聴くことができる。というのは、ヘルメットが頭の周りに音を放射して、周囲音により妨害したり妨害されていることなく、その音を聴くことができるからである。
【００５３】
別の実施例においてヘルメットまたは保護帽子は、着用者の頭へヘルメットまたは帽子を位置決めする、中に取付けられたヘッドバンドを有する外殻を備え、そのヘッドバンドは、音声周波駆動信号を音声周波アクチュエータへ送る手段へ接続されるアクチュエータを担持し、またアクチュエータは、音響エネルギーを着用者の頭骨へ直接結合するために、使用中に着用者の頭と係合するように位置決めされる。
【発明を実施するための最良の形態】
【００５４】
本発明の代表的な実施例を示す図面において、図１に示される磁歪アクチュエータは、例えば非磁性物質から成るケーシング１を備え、そのケーシング内で、巨大磁歪物質（便宜的に、両端部に二部分のＧＭＭから構成できる）から成るロッド２が位置決めされ、また例えば、力を伝達できるアルミニウムやセラミック物質から成る非磁性スペーサ３が、ロッドの幅よりもかなり大きい一対の円板磁石４からＧＭＭロッド２を離間するようにロッドの両端部に配設される。プラスチック芯部５は、ＧＭＭロッド２およびスペーサを位置決めかつ保持するように機能し、およびワイヤ（図示されない）を経て別個の付勢信号源へ接続される電磁巻線６を担持する。
【００５５】
脚部７は、アクチュエータにより生成された力を所要の場所へ伝達する。ケーシング[１]の内側と脚部７の周りの溝に保持されるバネクリップ８は、この組立体を互いに保持し、機械的事前応力をＧＭＭロッド２へ加える。
【００５６】
図２からより明確に分るように、ネオジム−鉄−硼素型のような高エネルギーで、かつロッド２のものよりもかなり大きい径を有する円板磁石４を選択することにより、２つの磁石間の磁力線は、磁石の周辺では湾曲するが、ロッドの部位と一致する磁石の中央領域においてはほぼ直線状であり、かくしてロッドの全長に沿って最大の磁歪効果を保証する。したがって一定長さのロッドの場合、ロッドへ加えられる一定の磁場により達成される伸張が最大にされる。
【００５７】
ここで図３を参照すると、音声装置は、標準的には交換自在な乾電池または充電式電池である電池２２を内蔵するケーシング２１、およびその電池により作動される増幅器を備える電子回路２３から構成される。入力ソケット２４は、外部信号源、例えば個人のステレオプレーヤや携帯電話などへ導かれるコネクタ上で、コネクタプラグ、例えば小型ジャックプラグを受容する。音声装置内の電子回路２３は、入力信号の存在または不在を検出し、信号が不在の場合に増幅器を休止状態へ切換えて電池寿命を保護するスケルチ回路を備える。ケーシング２１は、例えば図１と２を参照して上述した型式の磁歪アクチュエータ２５を中に取付けている。そのアクチュエータが増幅器出力部へ接続されるので、磁歪物質は、増幅器により出力された音声周波信号に応答して、その長さを変える。
【００５８】
アクチュエータはケーシング２１と密接し、ついでケーシングが、例えばテーブル２６のようなパネルまたは窓の表面と密接できるので、その表面と音響的に結合して、パネル内に音波を生じる。これによりパネル２６は音を放射する。
【００５９】
図４に図示される音声プレーヤにおいてケーシング３０は、３１で線図的に示されるコンパクトディスクプレーヤやミニディスクプレーヤのようなディスクプレーヤを内蔵する。そのようなプレーヤの構造は、周知であるので、詳細に図示または説明されない。ケーシングは、標準的には交換自在な乾電池または充電式電池である電池３２、およびその電池により作動される増幅器を備える電子回路３３も内蔵する。ケーシング３０は、例えば図４を参照して上述した型式の磁歪アクチュエータ３５を中に取付けている。そのアクチュエータが増幅器出力部へ接続されるので、磁歪物質は、増幅器により出力された音声周波信号に応答して、その長さを変える。アクチュエータはケーシング３０と密接し、ついでケーシングが、例えばテーブル３６のようなパネルまたは窓の表面と密接できるので、その表面と音響的に結合して、パネル内に音波を生じる。これによりパネル３６は音を放射する。他の音声源を、例えば、ＦＭ受信器や他の無線受信器、テープカセットプレーヤ、または半導体音声記憶と再生の装置のようなディスクプレーヤ３１の代わりに容易に使用できることが分る。
【００６０】
図５は、電池４１を内蔵するケーシング４０と、電子構成部材４３、４４および４５を上に有する主回路板４２と、液晶表示スクリーン４６と、キーボード４７と、マイクロフォン４８と、およびアンテナ４９とを備える携帯無線電話を示す。従来のスピーカの代わりに、磁歪アクチュエータ５０がケーシング４０内に、かつそれと接触して取付けられ、かつ主回路板の増幅器セクションへ接続され、そのセクションは、増幅器５０用の適切な駆動出力を生成するようになっている。
【００６１】
使用に際して、その電話は、マイクロフォンが口に隣接するように顔面側に保持され、一方では、本体のアクチュエータ部分が使用者の耳に隣接されながら、従来の仕方（第１のモード）で使用できる。これらの条件におけるアクチュエータ５０により、従来の仕方でその出力を使用者が聴くに足る音エネルギーをケーシング４０が放射するので、耳に関する送受器の正確な位置決めは重要ではない。しかしながら手を使う必要のない用途または会議用途の場合、電話をテーブル５１のようなパネル上に置くことができる（第２のモード）。ついでアクチュエータ５０は、音響エネルギーをパネルへ結合し、パネルの周辺で音を聴くに足るレベルの音をパネルに放射させる。従来のマイクロフォンは、標準的には、周辺から会話や他の音を検知するに足る感度を有するが、自動ゲイン制御器により、使用の周囲状況に適するように感度を確実に調整できるので、電話により伝達される音量は、電話が従来通り使用される場合に過大でなない。
【００６２】
本発明の電話の利点は、手持ち用途から手を使う必要のない用途へ（または逆も同じ）変えるための調節または調整の必要がないことであり、その調節は、電話の二重モード機能の結果として自動的である。
【００６３】
図６に示される後写鏡ユニットにおいて鏡６０は、ブラケット６２を経て車両のウインドスクリーンへ、またはウインドスクリーン上方の内部天井面へ取付けられるハウジング６１の開放正面に保持される。鏡は標準的には、旋回自在機構におけるハウジング６１内に取付けられて、まぶしさがヘッドライトに従うのを避けるようにその機構が調整される。この機構は、本発明の特徴に影響がないので、明確にするために図から省略される。ケーシング６１には、とりわけ増幅器を形成する電子構成部材を取付ける電子回路板６３が内蔵され、その回路板は、例えば接着剤の手段により鏡６０の後面と密接して取付けられる磁歪アクチュエータ６４へ接続される。電力は、取付けブラケット６２を通して延びる給電リード線６５を通して車両の電気システムから回路板６３へ給電される。マイクロフォン６６は、車両の乗員室内からの音を受けるようにハウジング内に取付けられ、ついで接続ケーブル６７を経て回路板へ接続される。回路板６３も、ハウジングを通して開放するソケット６９へ別のケーブル６８を経て接続される。
【００６４】
ソケット６９により、外部リード線とプラグ（図示されない）を経て携帯電話への接続ができ、その接続は、マイクロフォン６６により受信される会話が電話へ送られて通常の方法で伝達され、一方では、電話により受信される会話が回路板６３上の増幅器を経て磁歪アクチュエータ６４へ送られる仕方でなされ、またついでアクチュエータが音響エネルギーを鏡に結合して、車両乗員室内に着座している人へ可聴であるように音をその室内に放射させる。
【００６５】
このようにして鏡ユニットにより、電話の手を使う必要のない操作ができ、車両のウインドスクリーンに隣接する場所から放射される音で、ドライバの注意が道路からそらされないことが保証される。他の方向からの音により、会話中にドライバが音源へ向けて見る気にならせ、かくして前方の道路から注意をそらす危険があるが、本発明に従う鏡ユニットは、この発生を避ける。
【００６６】
図７においてケーシング６１は、マイクロフォン７２へ接続される電気リード線７５を担持する第１のバネ押圧式リール７４を内蔵し、そのマイクロフォンには、クリップ７３が設けられて、使用者の音声を検知できる位置において衣類上にマイクロフォンをクリップ留めできる。リール７４により、マイクロフォンが外されたときにリード線７５をケーシング中に巻戻しでき、一方では使用の際に再び引出すことができる。第２のバネ押圧式リール７６は、受話口７１へ接続されるリード線７７を担持し、使用者は、受話口７１を引出し、装置を私的に使用するために耳に挿入できる。第２のリール７６は、返される音声信号だけを使用者が聴くことができるように、鏡６０へ接続されるアクチュエータを切るように構成できる。単一のリール機構を設けて、別個のリード線または好ましくは単一のケーブルの解放と巻戻しを制御できることは明らかであり、そのケーブルはその自由端部に隣接して分離され、マイクロフォンおよび受話口をそれぞれ担持する。
【００６７】
押ボタン７０がケーシング６１の下部に設けられて、情況に従って作動する装置用の単一の作動制御器を形成する。例えば、装置が待機状態にあるときにボタンを押すと、呼出、例えば音声作動ダイヤルを開始し、一方、電話呼出を受信するときにボタンを押すと、呼出に応答する。ボタンを押すことにより、多重押しボタンにより、または音声メニューシステムの手段によっても、アクセスされる他の機能を実現することが多分可能であろうし、ボタン７０の一回押しは、メニューから１つの項目を選択するのに使用される。このようにして、車両のドライバは、道路から目を離す必要がなく音声装置を制御できる。
【００６８】
図８は、自動車の内部を図示し、そこにおいて磁歪アクチュエータ８０が、例えば接着剤により、または吸引キャップのような一時的装着手段によりウインドスクリーン８１へ装着され、音響エネルギーをウインドスクリーンに結合するので、ウインドスクリーンはスピーカとして作用して音を車両中に放射する。アクチュエータ８０は、コード８２の手段により、または短範囲無線接続の手段により携帯電話またはカーラジオまたはミュージックプレイヤーのような音声信号源へ接続される。ウインドスクリーンは、音を放射するのに使用できる車両内の多くのパネルの１つに過ぎないことが明らかである。例えば、内部のドアパネルや天井パネルまたは包み棚を使用できるであろう。
【００６９】
図９は、例えば会話を１つの部屋から他の部屋の選択された部屋に、または全ての部屋に伝達させる、建物用の通信システムを図示する。このシステムは、１つの部屋９１内に位置する基地局９０、および他の部屋９４それぞれにおいて窓９３上に取付けられる受信器９２を備える。基地局９０は、マイクロフォンと、および受信器のどれ（一般的告示の場合、これは全ての受信器または選択された受信器のグループでよい）をアドレス指定すべきかを指示するアドレス指定コーディングを担持する無線信号を伝達する手段とを備える。それぞれの受信器９２は、無線受信器と、および例えば本発明に従う、その受信器内に窓と音響的に結合するように配置される磁歪アクチュエータとを備えるので、窓に音を部屋中に放射させる。それぞれの部屋にも、二方向通信ができる基地局を設けることができるであろうことが明らかである。
【００７０】
図１０には、通信システムの他の実施例が図示され、そこにおいて基地局１００は、マイクロフォンまたは記憶媒体（半導体メモリ、テープ、ＣＤまたはその他）でよい音声信号源と、および例えば商標[ＢＬＵＥＴＯＯＴＨ]で知られる型式の短範囲無線送信器とを備える。それぞれの遠隔ユニット[１０１]は、クリップボード１０２の形態であり、そのボードは好都合には、ノートパッド１０３または印刷された情報リーフレットを担持でき、またボードの後面に取付けられる無線受信器と変換器の装置１０４を有する。装置１０４は、基地局１００により伝達される信号を受信し、その信号を音声周波駆動信号に変換し、その駆動信号は、ボードへ接続される、ここで開示および請求される型式の磁歪アクチュエータへ送られて、音響エネルギーをボードに結合し、それにより、そのボードをスピーカとして作用させ、近くの他の者の傾聴にかなり干渉する音量ではない音量で、音声信号をボードの周辺で聴くことができる。
【００７１】
図１１には、広告表示パネル１１０を備える広告などの表示装置が示され、そのパネルは、上に取付けられる検出器手段[１１１]、例えば受動赤外線検出器を有して、パネルに隣接する人１１２の存在を検出する。人１１２の存在に応答して、検出器手段は、告示装置１１３へ信号を送り、その装置１１３が、記録されたメッセージを、パネルの後面へ連結される磁歪アクチュエータを経て演じさせる。そのアクチュエータは、好適にはここで説明された型式のものであり、小型で製造するのが安価で、一方では受入れできる音質と音量を生成する。その告示は、パネル上に表示されるメッセージを強調するか、または場所や他の情報を示してもよい。
【００７２】
図１２において[概略]示されるヘルメットは、例えば、消防士のヘルメットである（この図は、特定のそのようなヘルメットの正確な表現を提供しようとするものではないことは明らかである）。ヘルメットは、硬質外殻１２０、および着用者の頭を外殻から離間し、かつヘルメットの着用を快適にさせる内部詰め物または厚縁１２１を備える。磁歪アクチュエータ１２２は、着用者の頭との間の空間に取付けられ、外殻１２０と接触して、外殻と音響的に結合する。このようにして、外殻の全体を、着用者が同時に周囲音を聴きながらメッセージを聴くことができるように、音声信号、例えば無線メッセージを放射するように製作できる。アクチュエータは、外部無線装置へ接続してよいが、図示される実施例においては、小型の無線装置１２３がヘルメット内に取付けられ、リード線１２４を経てアクチュエータ１２２へ接続される。
【００７３】
図１３は、ヘッドバンド１３１を有するキャップ１３０を示し、そのヘッドバンド上に、無線受信器や半導体音声プレーヤのような音声信号源１３２、および例えば上述した型式の磁歪変換器[１３３]が取付けられる。アクチュエータ[１３３]は、その脚部が着用者の頭骨と接触し、音響エネルギーを頭骨に結合するように、取付け[られる]。したがって着用者は、骨伝導により音声信号を聴き、その信号は、他の者にとり実質的に聴き取れない。装置へ給電する電池を、ヘッドバンドの他の部分へ取付けできる。
【００７４】
図１３に図示される装置は、単純なキャップであるが、他の型式のヘッドギヤ、例えば保護ヘルメットへも同等に適用でき、特に、通常のスピーカ装置やヘッドフォンが有効でない場合か、または音声信号が他の者により盗聴されないことが重要である場合の騒々しい環境で使用する際に適用できる。
【図面の簡単な説明】
【００７５】
【図１】本発明に従うアクチュエータの中央部分の断面図である。
【図２】磁場上に重畳される典型的な磁力線を有する、図１の主要な構成部材に対応する拡大図である。
【図３】本発明の一実施例に従う音声装置の断面線図である。
【図４】音声装置の別の実施例の同様な線図である。
【図５】本発明の別の実施例に従う音声通信装置の断面線図である。
【図６】本発明に従う後写鏡の断面線図である。
【図７】車両用後写鏡の別の形態の正面図である。
【図８】磁歪アクチュエータを内部に設置した自動車の内部の図である。
【図９】本発明のさらに他の実施例に従う通信システムを組込んだ建物の平面図である。
【図１０】通信[システム]の別の形態の線図である。
【図１１】本発明に従う表示装置の概略側面図である。
【図１２】本発明の他の態様に従うヘルメットを通した概略断面図である。
【図１３】本発明のさらに他の態様に従う帽子の概略図である。
【国際公開パンフレット】
2004527168.tif 000003
2004527168.tif 000004
2004527168.tif 000005
2004527168.tif 000006
2004527168.tif 000007
2004527168.tif 000008
2004527168.tif 000009
2004527168.tif 000010
2004527168.tif 000011
2004527168.tif 000012
2004527168.tif 000013
2004527168.tif 000014
2004527168.tif 000015
2004527168.tif 000016
2004527168.tif 000017
2004527168.tif 000018
2004527168.tif 000019
2004527168.tif 000020
2004527168.tif 000021
2004527168.tif 000022
2004527168.tif 000023
2004527168.tif 000024
2004527168.tif 000025
2004527168.tif 000026
2004527168.tif 000027
2004527168.tif 000028
2004527168.tif 000029
2004527168.tif 000030
2004527168.tif 000031
2004527168.tif 000032
2004527168.tif 000033
【国際公開パンフレット（コレクトバージョン）】
2004527168.tif 000034
【国際調査報告】
2004527168.tif 000035
2004527168.tif 000036
2004527168.tif 000037
2004527168.tif 000038
2004527168.tif 000039